(57)【要約】【課題】水槽内でマシジミの生殖細胞（卵、Ｄ型幼生）を稚貝まで飼育できる保育装置を提供する。【解決手段】マシジミの生殖細胞（卵、Ｄ型幼生）は、目に見える大きさと目に見えない大きさの食害を受ける。目に見える食害を受けない網目で、目に見えない食害は洗い流すことのできる網目（例：１５０μ）のネット３で作られたマシジミ保育装置１，４，５及び６の生殖細胞を稚貝まで育てることができた。【選択図】図２
2017074032.tif 000002
【特許請求の範囲】
【請求項１】
マシジミ生殖細胞の大きさより網目が小さく、マシジミの生殖細胞の食害虫より大きい網目のネットで、容器の一部又は全部を覆い、水槽の用水が流出入可能に、水面・水中・水底に設置することにより、装置内又は装置外で採集されたマシジミの生殖細胞（卵、Ｄ型幼生）を稚貝まで飼育することを特徴とするマシジミ保育装置。
【発明の詳細な説明】
【技術分野】
【０００１】  本発明はマシジミの完全水槽飼育のために生殖細胞を稚貝まで成長させる保育装置である。
【背景技術】
【０００２】  二枚貝の水槽飼育や種苗生産では食害を防止するために、食害虫等の除去には薬品、紫外線等が利用される。
【先行技術文献】
【特許文献】
【０００３】
【特許文献１】特開２０１３−４２６７８号公報
【非特許文献】
【０００４】
【非特許文献１】マシジミの飼育水槽  日本初  マシジミを飼おう（藤原次男著  デザインエッグ社）
【発明の概要】
【発明が解決しようとする課題】
【０００５】  マシジミの母貝から放出される生殖細胞（受精卵、Ｄ型幼生）は、水槽内では、そのまま放置すると食害を受けほぼ絶滅する。日本では、今までマシジミの水槽飼育で稚貝まで飼育した記録はない。【０００６】  マシジミの生殖細胞が稚貝に成長するまでに食害を受けないように保育装置を設け、その中で稚貝まで飼育する。
【課題を解決するための手段】
【０００７】  マシジミは目に見えない世界の物質（フロック状の物質）を餌にしており、マシジミの成長には目に見える世界と目に見えない世界の食害が関係する。本発明の飼育装置は極小の通常では視認できない網目の大きさでマシジミの生殖細胞より網目の小さいネットのみで水槽の用水が流入出来るような形状にして使用する。【０００８】  本発明に係るマシジミ飼育装置の水槽の用水に接するすべての面は極小の通常では視認できない網目の大きさで、しかも、マシジミの生殖細胞より小さく、さらに、マシジミの生殖細胞の初期の食害虫の大きさより大きい網目のネットを使用する。実施例として、マシジミ保育装置には約１５０μのネットを使用した。
【発明の効果】
【０００９】  日本では、マシジミは人工飼料で殻長約０．５ｍｍまで成長させた記録（日水誌・昭和２３年）しかない。しかし、殻長０．５ｍｍではまだ水管が完成せず生態的には稚貝ではない。本発明のマシジミ保育装置は通常の観賞用水槽でも条件を整えるとマシジミの生殖細胞を稚貝まで成長させることができる。現在も飼育中で、マシジミは殻長約５ｍｍの大きさで、生殖腺（♂）が成熟し雄の機能を有し約１０ｍｍになると雌雄同体の母貝になる。
【図面の簡単な説明】
【００１０】  目に見える大きさの食害虫は、上記説明のネットで保育装置への侵入を阻止される。
目に見えない大きさの食害虫は流水で洗い流して除去する。その結果、保育装置はマシジミの生殖細胞のみが存在する状態に保つことができる。
【図１】本発明に係るマシジミ保育装置（浮遊型）の形状例を模式的に示す斜面図である。
【図２】本発明に係るマシジミ保育装置（水中・水底型）の形状例を模式的に示す斜面図である。
【図３】本発明に係るマシジミの保育装置をマシジミ飼育ビオトープキット（模式図）の中に入れた実施例を模式的に示す正面図である。
【発明を実施するための形態】
【００１１】  以下、本発明の実施の形態を説明する。
【００１２】  本発明のマシジミ保育装置は図３で示すように、マシジミ飼育ビオトープキットの水面・水中・水底に１，４，５及び６のように設置して使用できる。尚、本実施態様で使用するマシジミ飼育ビオトープキットは、本発明者が平成２３年８月２２日付で出願した特願２０１１−１８０８７８号に開示した特許請求の範囲、発明の詳細な説明及び図面の全部の内容を援用して含むものである。
【００１３】  マシジミ保育装置で保育するマシジミ生殖細胞は、マシジミ保育装置で飼育したマシジミの生殖細胞でも、その他のマシジミの生殖細胞でも構わない。
【００１４】  ここで、マシジミ保育装置は、マシジミの生殖細胞が稚貝に成長するまで短期間であるので、例えば、図３で示すようなマシジミ飼育ビオトープキットの形状や大きさに限定するものではなく、条件さえ合えば通常の観賞用水槽に使用することもできる。
【００１５】  尚、本発明のマシジミ飼育装置は上記の実施の形態に限定されるものではない。上記実施の形態が一例示であり、本発明の特許請求の範囲に記載された技術的思想と実質的に同一な構成を有し、同様な効果を奏するものは、いかなるものであっても本発明の技術的範囲に包含される。例えば、保育する二枚貝の種類は特に限定するものではなく、海産を含むいかなる二枚貝でも生殖細胞（卵、Ｄ型幼生）から稚貝までの飼育が可能である。
【実施例】
【００１６】  本発明のマシジミ保育装置を図３の１，４，５及び６で示すように、マシジミ飼育ビオトープキットの水面・水中・水底に設置して実験した。その結果、本年９月には、設置したすべての保育装置でＤ型幼生の成長が確認され大きいものは殻長約４ｍｍまで成長した。
【産業上の利用可能性】
【００１７】  マシジミ飼育水槽の中に設置された本発明のマシジミ保育装置で殻長４ｍｍに成長した稚貝は物質循環を利用した本発明のマシジミ飼育法で飼育したものである。【００１８】  現在の投餌型で飼育されている観賞用水槽でも水槽内で物質循環を利用してマシジミの餌が生じるように条件を整えると、このマシジミ保育装置が使用できる。【００１９】  今後、物質循環を利用した形の飼育法であれば、普通の観賞用水槽、単なる水槽等でもこのマシジミ保育装置を使用すると、金魚や熱帯魚等を飼育中の水槽でもマシジミの稚貝を得ることができる。【００２０】  このマシジミ保育装置は、現在の水槽飼育法を変える可能性があり、産業上にも大きく貢献できる可能性がある。
【符号の説明】
【００２１】      １  マシジミ保育装置（浮遊型）
２  浮力を持つ材料（木等）
３  ネット（１５０μ）
４  マシジミ保育装置（水中・水底型）→がまぐち型
５  マシジミ保育装置（水中・水底型）→おむすび型
６  マシジミ保育装置（水中・水底型）→球型
７  浮き（マシジミ保育装置を吊るす）
８  マシジミ飼育槽
９  魚類飼育槽
１０  ポンプ
１１  ここを通ると目に見えない世界入口装置（ネット１５０μ）
１２  マシジミ飼育ビオトープキット
１３  マシジミ母貝（飼育放卵後除去してもしなくても良い）
【図１】
2017074032.tif 000003
【図２】
2017074032.tif 000004
【図３】
2017074032.tif 000005
【手続補正書】
【提出日】平成28年9月8日(2016.9.8)
【手続補正１】
【補正対象書類名】特許請求の範囲
【補正対象項目名】全文
【補正方法】変更
【補正の内容】
【特許請求の範囲】
【請求項１】
マシジミ生殖細胞の大きさより網目が小さく、マシジミの生殖細胞の食害虫より大きい網目のネットで、容器の一部又は全部を覆い、水槽の用水が流出可能に、水面・水中・水底に設置することにより、装置内又は装置外で採集されたマシジミの生殖細胞（卵、Ｄ型幼生）のみが存在する状態に保ち、魚類飼育槽内に入れて物質循環を利用した非投餌法で稚貝まで飼育することを特徴とするマシジミ保育装置。